(57)【特許請求の範囲】
【請求項１】
管体と、一端がドリル状に螺旋加工され、他端に取っ手を設けた、全長が前記管体より長い棒状部材と前記棒状部材を前記管体内部で、その管軸に保持する機構を備えた円筒状のCガス配管ドレン抜き管内付着物除去装置であって、
前記管体の一部に、ブロー弁を備えたブロー配管を取り付けられ、前記管体はその一端が開放され、他端には前記棒状部材を保持する前記機構が取り付けられ、前記機構は気密構造で、前記棒状部材を棒軸まわりに回転可能で、且つ前記管体の管軸方向に出し入れ可能な構造を備え、前記棒状部材は、棒軸方向のストロークを調整するため、二つのストッパーを有し、一方は前記棒状部材が引き抜き時に管体から抜け落ちないように取り付けられ、他方は前記ドリル状に螺旋加工された一端がガス本管に入りすぎるのを防止するように取り付けられ、前記管体と前記棒状部材間には前記棒状部材のドリル状に螺旋加工された先端が食い込んだ付着物をCガス配管ドレン抜き管内から引き出し可能な空隙を有していることを特徴とするCガス配管ドレン抜き管内付着物除去装置。
【発明の詳細な説明】
【技術分野】
【０００１】
本発明は製鐵所等で使用されるガス管のエアー抜き管、ブロー管や計器用の配管を閉塞するダスト、タールやカーボン等の付着物を、配管系統の流体を停止することなく簡易に除去する冶具で、特にＣガス配管ドレン抜き管閉塞部開口作業に好適なものに関する。
【背景技術】
【０００２】
製鐵所では、コークス炉から発生するＣＯＧ（コークス炉ガス）を加熱炉等で燃料ガスとして使用したり、またＣＯＧ顕熱を回収して石炭の乾燥予熱に利用したり、廃ガス等から熱回収を行う複数の廃熱回収装置が設置され、所内にはガス配管が巡らされている。
【０００３】
これらのガス配管には、ガスが流送される本管からエアー抜き、ブロー用、計器用取り出しのための細管が分岐されているが、長期間使用すると、ダスト、タールやカーボン等で閉塞するため、配管内異物除去装置がいくつか提案されている。
【０００４】
特許文献１は、公共の水道管、ガス管などの各種配管の内周面に形成された錆、カーボン、油分などの付着物を除去する装置に関し、配管内に直接回転部材を挿入し、付着物を掻き出す装置が記載されている。
【０００５】
特許文献２は、コークス炉ガスによるコーキング付着物の除去方法に関し、配管内の付着物をエアノッカー等の衝撃印加装置により管壁から脱落させる除去方法が記載されている。
【０００６】
特許文献３は、配管内に直接、研掃材を添加した気体を吹き込み、管壁に付着した付着物を除去する方法が記載され、原油精製用の加熱炉内の加熱配管に有効であることが開示されている。
【０００７】
特許文献４は、アクチュエータにより開度が調整されるアーム機構の先端に付着物を除去する部材を取り付けた付着物除去装置が記載されている。
【特許文献１】特開２００４−７４０５２号公報
【特許文献２】特開昭６１−２０９２９１号公報
【特許文献３】特開昭６１−２８０３９７号公報
【特許文献４】実開昭６０−１２２８９９号公報
【発明の開示】
【発明が解決しようとする課題】
【０００８】
ところで、配管閉塞を解消するため、特許文献１〜４記載の装置、方法や、蒸気洗浄または外部から矢突き等で清掃を実施する場合、閉塞個所の配管系統の流体を停止することが必要で、工場の操業停止による生産性低下の一因となっていた。
【０００９】
そこで、本発明は工場の操業を停止することなく、配管内部の付着物の除去が可能な装置を提供することを目的とする。
【課題を解決するための手段】
【００１０】
本発明の課題は以下の手段により達成可能である。
１．管体と、一端がドリル状に螺旋加工され、他端に取っ手を設けた、全長が前記管体より長い棒状部材と前記棒状部材を前記管体内部で、その管軸に保持する機構を備えた円筒状のCガス配管ドレン抜き管内付着物除去装置であって、
前記管体の一部に、ブロー弁を備えたブロー配管を取り付けられ、前記管体はその一端が開放され、他端には前記棒状部材を保持する前記機構が取り付けられ、前記機構は気密構造で、前記棒状部材を棒軸まわりに回転可能で、且つ前記管体の管軸方向に出し入れ可能な構造を備え、前記棒状部材は、棒軸方向のストロークを調整するため、二つのストッパーを有し、一方は前記棒状部材が引き抜き時に管体から抜け落ちないように取り付けられ、他方は前記ドリル状に螺旋加工された一端がガス本管に入りすぎるのを防止するように取り付けられ、前記管体と前記棒状部材間には前記棒状部材のドリル状に螺旋加工された先端が食い込んだ付着物をCガス配管ドレン抜き管内から引き出し可能な空隙を有していることを特徴とするCガス配管ドレン抜き管内付着物除去装置。
【発明の効果】
【００１１】
本発明によれば以下の効果が得られ、産業上極めて有用である。
１．ラインを停止させることなく、配管内を清掃することが可能である。
２．圧抜き管を設けることで、閉塞配管の閉塞部の清掃状況が確認可能である。
３．ドリルキリの先端がダストに食い込むので、ドリルキリを引き出すことにより、ダストを配管外部に引き出すことが可能である。
【発明を実施するための最良の形態】
【００１２】
以下、本発明をブロー配管内の配管内付着物除去装置を対象に図面を用いて詳細に説明する。
図１は本発明の一実施例に係る配管内付着物除去装置の側断面図で、その先端に既設弁を設けた引き出し配管を取り付けた状態を示す。図において１は配管内付着物除去装置、２は管体、２ａは管体２の先端部、２ｂは管体２の後端部、３はブロー配管、４は棒状部材、４１，４２はストッパ、４３は取っ手、４４は保持機構、４ａは棒状部材４の、ドリル状に螺旋加工された先端部、５はＴ型エルボ、６はブロー弁、１００は既設弁、２００はガス本管、３００は引出し配管、ａは保持機構４４のシール、ｂはグランドパッキン、ｃは引き出し配管３００内の付着物を示す。
【００１３】
図示した、配管内付着物除去装置１は、管体２と棒状部材４と、棒状部材４を管体２に保持する保持機構４４を備える。管体２は一端（図では先端部２ａ側）が開放され、ガス本管２００からの引き出し配管３００に、既設弁１００を介して取り付ける。そのため、その先端部２ａには既設弁１００に合致するねじ加工が施される。
【００１４】
管体２の他端（図では後端部２ｂ側）にはねじ加工が施され、棒状部材４を管体２の管軸と棒の中心軸が一致するように保持する保持機構４４を脱着可能に取り付ける。後端部２ｂの管内の一部に突出部２ｃを設け、保持機構４４による棒状部材４の保持を容易とし、且つ、突出部２ｃと保持機構４４の間に気密性保持のためグランドパッキンｂを取り付ける。
【００１５】
棒状部材４は、その全長を管体２より長く、引出し配管３００の付着物ｃを管内から引き出すために十分な長さとする。
【００１６】
また、その先端部４ａはドリル状に加工され、中心軸まわりに回転させることにより付着物ｃに先端部４ａを食い込ませる。棒状部材４の後端部には、中心軸まわりに回転しつつ、矢印ｅで示す棒軸方向に移動させるため、取っ手４３を取り付け、更に、棒軸方向のストロークを調整するため、ストッパー４１、４２を設ける。ストッパ４１は付着物を除去後、棒状部材４を引き抜き時に棒状部材４が管体２から抜けてしまうことによりガスが流出することを防止するために取り付ける。ストッパ４２は棒状部材の先端４ａがガス本管２００に入りすぎるのを防止するためであり必須ではない。先端部４ａを付着物ｃへ食い込ませるための回転は機械的に行ってもよい。
保持機構４４は棒状部材４で付着物ｃを引き出す際、ガス本管２００からのガスが流出しないように棒状部材４が摺動する部分にシールａを取り付け、気密構造とする。
【００１７】
以上に述べた構造が、付着物ｃを引き出し配管３００から引き出すための構造で、図示した配管内付着物除去装置では、工場の操業を停止させないため、管体２の一部にブロー配管３を取り付けている。
【００１８】
ブロー配管３は、管体２の軸方向の中間部に、Ｔ型エルボー５を介して取り付けられ、その開放端側にブロー弁６を備える。ブロー配管３の取付け位置は管体２の円周方向のいずれの位置でも良い。
【００１９】
以下に、配管内付着物除去装置１を用いて、引き出し配管３００の内部に付着した付着物ｃを除去する手順を説明する。
【００２０】
手順１：既設弁１００を閉じ、配管内付着物除去装置１を引き出し配管３００の既設弁１００の外側（下流側）にねじ込む。この際、ブロー弁６は閉じておき、棒状部材４の先端部４ａが管体２内となるように取っ手４３を引いて、棒状部材４を引き込んでおく。
【００２１】
手順２：既設弁１００とブロー弁６を開き、棒状部材４を取っ手４３を回して回転させて、その先端部４ａを付着物ｃに食い込ませる。
【００２２】
手順３：次に取っ手４３を引いて、付着物ｃを棒状部材４に食い込ませた状態で、付着物ｃを既設弁１００より管体２側に引き寄せる。
【００２３】
手順４：手順３の状態で、既設弁１００を閉じて、管体２を回転させて、既設弁１００から取り外す。
【図面の簡単な説明】
【００２４】
【図１】本発明例。
【符号の説明】
【００２５】
１  配管内付着物除去装置
２  管体
２ａ  先端部
２ｂ  後端部
３  ブロー配管
４  棒状部材
４１，４２  ストッパ
４３  取っ手
４４  保持機構
４ａ  先端部
５  Ｔ型エルボ
６  ブロー弁
１００  既設弁
２００  ガス本管
３００  引出し配管
ａ  シール
ｂ  グランドパッキン
ｃ  付着物
【図１】
0004661562.tif 000002